(57)【特許請求の範囲】
【請求項１】
前後両面を筆記可能面としたパネルの下端部を、支持脚をもって支持してなるスタンドボードにおいて、
前記パネルにおける前後の筆記可能面の下部に、左右方向を向き、かつ前後方向に突出するトレー部材を、互いに高さを異ならせて設けるとともに、前記支持脚を、パネルの下端部から前下方に延びる左右１対の前脚と、後下方に延びる左右１対の後脚とを備えるものとし、前記前脚における前下方に延びる部分と、後脚における後下方に延びる部分との上下方向の高さを、前記前後のトレー部材の高さに対応させて互いに異ならせたことを特徴とするスタンドボード。
【請求項２】
前部のトレー部材と後部のトレー部材のうちの低い方のトレー部材を、前脚または後脚のうちの高い方の脚の上端より上方に配置したことを特徴とする請求項１記載のスタンドボード。
【請求項３】
前後のトレー部材の左右方向の長さを、前後の筆記可能面の左右方向の幅とほぼ同一長さとしたことを特徴とする請求項１または２記載のスタンドボード。
【発明の詳細な説明】
【技術分野】
【０００１】
本発明は、ホワイトボード等の筆記可能なパネルを、移動可能な支持脚により支持したスタンドボードに関する。
に関する。
【背景技術】
【０００２】
ホワイトボード等の筆記可能なパネルを、支持脚により支持した従来のスタンドボードとしては、パネルの筆記可能面の下方に、消した際に生じる消し屑を受けたり、筆記具等を載置したりするトレー部材を設けたものがある。このトレー部材は、パネルの下端にこれと一体的に設けたもの（例えば、特許文献１参照）、あるいは、パネルとは別体に設けたもの（例えば、特許文献２参照）などがある。
【０００３】
この種のスタンドボードは、使用しない場合は収納場所に保管しておくことが多いが、収納スペースを有効に使用するためには、スタンドボード相互間の間隔をできるだけ空けずに、重ね合わせて保管（ネスティング）することが好ましく、このようにネスティングを可能とした構造のスタンドボードもある（例えば、特許文献３参照）。
【特許文献１】実公平３−４７９０９号公報
【特許文献２】特開平７−２５１５９８号公報
【特許文献３】特許第３１８２５１３号公報
【発明の開示】
【発明が解決しようとする課題】
【０００４】
スタンドボード相互間の間隔をできるだけ空けずに、ネスティングを可能とするために、特許文献３に記載のスタンドボードでは、パネルを支持する脚同士が干渉しないように工夫をしているが、特許文献１および２に記載のスタンドボードのように、トレー部材をパネルの前後面に突出して設けた構造のスタンドボードにおいては、ネスティングする際、前後のスタンドボードのトレー部材同士が互いに干渉し合うこととなり、効率よくネスティングすることができないという問題があった。  
【０００５】
本発明は、従来の技術が有する上記のような問題点に鑑み、トレー部材同士が干渉することがなく、効率のよいネスティングを可能としたスタンドボードを提供することを目的としている。
【課題を解決するための手段】
【０００６】
本発明によると、上記課題は、次のようにして解決される。
(１) 前後両面を筆記可能面としたパネルの下端部を、支持脚をもって支持してなるスタンドボードにおいて、前記パネルにおける前後の筆記可能面の下部に、左右方向を向き、かつ前後方向に突出するトレー部材を、互いに高さを異ならせて設けるとともに、前記支持脚を、パネルの下端部から前下方に延びる左右１対の前脚と、後下方に延びる左右１対の後脚とを備えるものとし、前記前脚における前下方に延びる部分と、後脚における後下方に延びる部分との上下方向の高さを、前記前後のトレー部材の高さに対応させて互いに異ならせる。
【０００７】
(２)上記(１)項において、前部のトレー部材と後部のトレー部材のうちの低い方のトレー部材を、前脚または後脚のうちの高い方の脚より上部に配置する。
【０００８】
(３)上記(１)または(２)項において、前後のトレー部材の左右方向の長さを、前後の筆記可能面の左右方向の幅とほぼ同一長さとする。
【発明の効果】
【０００９】
本発明によると、次のような効果を奏することができる。
請求項１記載の発明によると、パネルにおける前後の筆記可能面の下部に、トレー部材を、互いに高さを異ならせて設けたことにより、 スタンドボードを前後に重ねてネスティングする際に、前後のトレー部材が互いに干渉することがなくなり、スタンドボードの不使用時に省スペースで収納することができる。
また、トレー部材に筆記具等を載置したままでもネスティングすることができる。
さらに、前脚における前下方に延びる部分と、後脚における後下方に延びる部分との上下方向の高さを、前記前後のトレー部材の高さに対応させて互いに異ならせたことにより、ネスティング時に前後の支持脚が干渉することがなくなり、スタンドボードをより効率よくネスティングすることができるとともに、保管場所の省スペースを図ることができる。
【００１０】
請求項２記載の発明によると、低い方のトレー部材を高い方の脚の上端より上方に配置したことにより、ネスティング時にトレー部材と脚が干渉することがなくなり、スタンドボードを効率よくネスティングすることができる。
【００１１】
請求項３記載の発明によると、前後のトレー部材の左右方向の長さを、前後の筆記可能面の左右方向の長さとほぼ同一長さとすることにより、トレー部材と前脚および後脚との間の隙間が小さくなり、外観が良好になるとともに、消し屑の受け面積や筆記具等の載置面積が大となる。
【発明を実施するための最良の形態】
【００１２】
以下、本発明のスタンドボードの実施形態を、図面を参照して説明する。
図１は、スタンドボードの背面図、図２は、平面図、図３は側面図、図４は、図１のIＶ部の拡大断面図、図５は、図４のＶ−Ｖ線断面図である。なお、このスタンドボードは前後の区別はないが、便宜上、図３の右方を前、左方を後として説明する。
【００１３】
各図において、前後両面を筆記可能面としたパネル(１)の両側端は、縦杆(２)(２)の内面に取り付けられている。両縦杆(２)の下端には、左右１対の前脚(３)が連設され、両前脚(３)の内面上部に、左右１対の後脚(４)の上端部が固着されている。
【００１４】
図３に示すように、左右の前脚(３)は、縦杆(２)の下端から前下方に延出し、下端にはキャスタ(５)が設けられている。左右の後脚(４)は、上端部が縦杆(２)の内面に、溶接等により後下方に延出するように固着され、下端にはキャスタ(５)が設けられている。ネスティング時に、前後のスタンドボードの前脚(３)と後脚(４)及びそれらのキャスタ(５)同士が干渉しないように、前脚(３)は、後脚(４)より上下方向の高さを高くするとともに、後脚(４)を若干内方に傾斜させてある。（図１、図３参照）。なお、一方の縦杆(２)の中央部には、取っ手(６)が水平回動可能に設けられている。
【００１５】
図４及び図５に示すように、パネル(１)の前後の筆記可能面の下部には、パネル(１)の筆記可能面とほぼ等しい左右寸法の前部のトレー部材(7a)と後部のトレー部材(7b)とが、それぞれ前方と後方に突出するとともに、互いに高さを異ならせて設けられている。
【００１６】
すなわち、前部のトレー部材(7a)は、側面視下向きコ字状をなし、上下方向の長さを異ならせた前片(8a)と後片(8b)を有する連結部材(８)における短寸の前片(8a)の下端に、前向き水平に連設され、後部のトレー部材(7b)は、同じく長寸の後片(8b)の下端に、後向き水平に連設され、これにより、前後のトレー部材(7a)(7b)の高さを異ならせている。
【００１７】
(９)は、パネル(１)の外周縁部に嵌合された断面Ｈ形の外枠(９)で、この外枠(９)における両側端部の下面は、内向Ｌ字状断面をなす取付金具(10)の水平片(10a)により受支され、取付金具(10)の上向片(10b)は、縦杆(２)の下端部の内側面に溶接により固着されている。
【００１８】
取付金具(10)の水平片(10a)の下面には、連結部材(８)の上端が、座金(11)を介して下方よりパネル(１)に螺合した止めねじ(12)(12)により固定されている。
【００１９】
図３に示すように、前部のトレー部材(7a)と後部のトレー部材(7b)のうちの低い方のトレー部材、この例では後部のトレー部材(7b)は、高い方の脚、この例では前脚(３)の上端より上方に位置している。また、後部のトレー部材(7b)の左右方向の長さは、左右の後脚(４)の対向面間の寸法とほぼ同一とされ、後部のトレー部材(7b)と後脚(４)の上端部との間に隙間が形成されるのを防止している（図１参照）。
前後のトレー部材(7a)(7b)と連結部材(８)は、板金により一体的に形成され、前後のトレー部材(7a)(7b)の先端部と上面は、下方より螺挿した止めねじ(13)により固定された合成樹脂製のカバー(14)により覆われている。
【００２０】
図６は、スタンドボードの収納時におけるネスティング例を示している。
同図に示すように、前後のスタンドボード(A1)(A2)は、それらの前脚(３)と後脚(４)の高さを異ならせているため、互いに入れ子状に入り込んで重なり合うとともに、前部のトレー部材(7a)と後部のトレー部材(7b)の高さも異ならせているため、それらが互いに干渉することがない。
【００２１】
また、低い方の後部のトレー部材(7b)は、高い方の前脚(３)の上端よりも上方に位置していることにより、後部のトレー部材(7b)が前脚(３)に干渉することもなくなる。
【００２２】
このようにすることにより、スタンドボードの不使用時に効率よくネスティングすることができ、保管場所の省スペース化を図ることができる。
前部のトレー部材(7a)と後部のトレー部材(7b)との高さをある程度大きく異ならせることにより、字消し具や筆記具(15)等を載置した状態でもネスティング可能となる。
【００２３】
図７は、２台のスタンドボード(A1)(A2)を例えば９０度をなすように設置した状態を示しており、この際も、双方のスタンドボード(A1)(A2)における前部のトレー部材(7a)と後部のトレー部材(7b)は、高さが異なっているため、角部において非接触で重なり合い、それらが互いに干渉することはない。
なお、この際、一方のスタンドボード(A1)の取っ手(６)を９０°水平回動させることにより、他方のスタンドボード(A2)の取っ手(６)と干渉するのが防止される。
【図面の簡単な説明】
【００２４】
【図１】本発明の一実施形態におけるスタンドボードの背面図である。
【図２】同じく、平面図である。
【図３】同じく、側面図である。
【図４】同じく、図１のIＶ部の拡大縦断面図である。
【図５】同じく、図４のＶ−Ｖ線拡大縦断側面図である。
【図６】同じく、スタンドボードのネスティング状態を示す側面図である。
【図７】同じく、スタンドボードを９０度の角度で設置した状態の平面図である。
【符号の説明】
【００２５】
(１)パネル
(２)縦杆
(３)前脚
(４)後脚
(５)キャスタ
(６)取っ手
(7a)前部のトレー部材
(7b)後部のトレー部材
(８)連結部材
(8a)前片
(8b)後片
(９)外枠
(10)取付金具
(10a)水平片
(10b)上向片
(11)座金
(12)止めねじ
(13)止めねじ
(14)カバー
(15)筆記具
(A1)(A2)スタンドボード
【図１】
0004643382.tif 000002
【図２】
0004643382.tif 000003
【図３】
0004643382.tif 000004
【図４】
0004643382.tif 000005
【図５】
0004643382.tif 000006
【図６】
0004643382.tif 000007
【図７】
0004643382.tif 000008